(57)【特許請求の範囲】
【請求項１】
前端に発射口を有する筒体の内部に、火薬体と、この火薬体に通し付けられて上記筒体の後端穴から導出する引紐と、上記火薬体と上記発射口との間に前後にして配される噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記受圧板が、上記噴出物の載置面を有する受圧頭部と、この受圧頭部の外周縁の一箇所から折曲自在に後方へ連設された第１脚部と、受圧頭部の外周縁の他の箇所から折曲自在に後方へ連設された第２脚部とを有しており、
上記第２脚部の後端部には、第２脚部よりも長い可撓性を有する延出用アームの後端部を折曲自在に連設してあり、
上記第１脚部の後端部は上記火薬体から前方へ延出された引紐の前方延出端部と一体的に結合しており、
上記延出用アームの先端部は上記受圧頭部よりも前方へ延出させており、
上記延出用アームの先端部に二股状の支持片が形成されるとともに、この支持片間の隙間部に、両支持片の分かれ目部から一体に延出された細長い首部とこの首部の先端に上記隙間より幅広の戻止め頭部とを有する矢印ないし茸形部片が設けられており、
上記噴出物はこれの端部に連結部を備えており、この連結部が又は上記噴出物のテープ部分が上記支持片の一側面と上記矢印ないし茸形部片の首部との間で挟まれるとともに、戻止め頭部が上記支持片の他側面側に折り返されていることを特徴とするクラッカー。
【請求項２】
前端に発射口を有する筒体の内部に、火薬体と、この火薬体に通し付けられて上記筒体の後端穴から導出する引紐と、上記火薬体と上記発射口との間に前後にして配される噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記受圧板が、上記噴出物の載置面を有する受圧頭部と、この受圧頭部の外周縁の一箇所から折曲自在に後方へ連設された第１脚部と、受圧頭部の外周縁の他の箇所から折曲自在に後方へ連設された第２脚部とを有しており、
上記第２脚部の後端部には、第２脚部よりも長い可撓性を有する延出用アームの後端部を折曲自在に連設してあり、
上記第１脚部の後端部は上記火薬体から前方へ延出された引紐の前方延出端部と一体的に結合しており、
上記延出用アームの先端部は上記受圧頭部よりも前方へ延出させており、
上記延出用アームの先端部に二股状の支持片が形成されるとともに、この支持片間の隙間部に、両支持片の分かれ目部から一体に延出された細長い首部とこの首部の先端に上記隙間より幅広の戻止め頭部とを有する矢印ないし茸形部片が設けられており、
上記噴出物が多数の旗を連鎖状につないだ連鎖旗からなり、この連鎖旗の一端寄りの旗どうし間のつなぎ部が上記支持片の一側面と上記矢印ないし茸形部片の首部との間で挟まれるとともに、戻止め頭部が上記支持片の他側面側に折り返されていることを特徴とするクラッカー。
【請求項３】
前端に発射口を有する筒体の内部に、火薬体と、この火薬体に通し付けられて上記筒体の後端穴から導出する引紐と、上記火薬体と上記発射口との間に前後にして配される噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記受圧板が、上記噴出物の載置面を有する受圧頭部と、この受圧頭部の外周縁の一箇所から折曲自在に後方へ連設された第１脚部と、受圧頭部の外周縁の他の箇所から折曲自在に後方へ連設された第２脚部とを有しており、
上記第２脚部の後端部には、第２脚部よりも長い可撓性を有する延出用アームの後端部を折曲自在に連設してあり、
上記第１脚部の後端部は上記火薬体から前方へ延出された引紐の前方延出端部と一体的に結合しており、
上記延出用アームの先端部は上記受圧頭部よりも前方へ延出させており、
上記延出用アームの先端部の中央付近に、細長い首部とこの首部の先端に首部より幅広に設けた戻止め頭部とを有する矢印ないし茸形部片を切り起こすとともに、矢印ないし茸形抜孔を形成しており、
上記噴出物はこれの端部に連結部を備えており、この連結部が又は上記噴出物のテープ部分が、上記延出用アームの先端部の一側面と上記矢印ないし茸形部片の首部との間で挟まれるとともに、矢印ないし茸形部片の戻止め頭部が矢印ないし茸形抜孔に差し戻されて上記延出用アームの先端部の他側面側に係止されていることを特徴とするクラッカー。
【請求項４】
前端に発射口を有する筒体の内部に、火薬体と、この火薬体に通し付けられて上記筒体の後端穴から導出する引紐と、上記火薬体と上記発射口との間に前後にして配される噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記受圧板が、上記噴出物の載置面を有する受圧頭部と、この受圧頭部の外周縁の一箇所から折曲自在に後方へ連設された第１脚部と、受圧頭部の外周縁の他の箇所から折曲自在に後方へ連設された第２脚部とを有しており、
上記第２脚部の後端部には、第２脚部よりも長い可撓性を有する延出用アームの後端部を折曲自在に連設してあり、
上記第１脚部の後端部は上記火薬体から前方へ延出された引紐の前方延出端部と一体的に結合しており、
上記延出用アームの先端部は上記受圧頭部よりも前方へ延出させており、
上記延出用アームの先端部の中央付近に、細長い首部とこの首部の先端に首部より幅広に設けた戻止め頭部とを有する矢印ないし茸形部片を切り起こすとともに、矢印ないし茸形抜孔を形成しており、
上記噴出物が多数の旗を連鎖状につないだ連鎖旗からなり、この連鎖旗の一端寄りの旗どうし間のつなぎ部が、上記延出用アームの先端部の一側面と上記矢印ないし茸形部片の首部との間で挟まれるとともに、矢印ないし茸形部片の戻止め頭部が矢印ないし茸形抜孔に差し戻されて上記延出用アームの先端部の他側面側に係止されていることを特徴とするクラッカー。
【請求項５】
矢印ないし茸形部片が戻止め頭部を延出用アームの先端方向
と反対方向に向けて設けられている請求項３又は４記載のクラッカー。
【発明の詳細な説明】
【０００１】
【発明の属する技術分野】
本発明は、クリスマスや結婚式の祝宴などに用いられ、引紐の引っ張り操作で爆発音をたてるとともに小巻きテープ等の噴出物を空中に発射させるクラッカーに関する。
【０００２】
【従来の技術】
この種のクラッカーとして、爆発に伴い空中へ飛び出す小巻きテープ等の噴出物が筒体から分離、離脱してクラッカーの使用場所の周囲に広く散乱することのないように、噴出物の一端部は筒体の内面に接着テープや糊などで貼り付けたり、あるいは筒体に保持された受圧板に係止したりしたもの（例えば、特開平８−１３６１９６号公報）は公知である。
【０００３】
【発明が解決しようとする課題】
しかるに、噴出物の一端部を筒体又は受圧板に一体的に結合する上記クラッカーでは、筒体の発射口からの噴出物の延出長さが短く、また噴出物の自由な飛び出しが規制されるため、噴出物が発射口から空中へ自由に高く、遠くへ飛ばず、クラッカー本来の機能である興趣性、演出効果が低下半減することを知見した。また、噴出物の一端部を筒体の内面に接着テープや糊などで貼り付けるには煩雑な手間を要していた。
【０００４】
そこで本発明の目的は、このような問題を解消するためになされたもので、上記受圧板の構造に改善を加えることにより発射後の噴出物の散乱防止を確保しながら飛距離を必要かつ十分に伸ばすことができて興趣性、演出効果の高いクラッカーを提供することにある。また本発明の目的は、噴出物の一端部の受圧板への一体的結合手段に工夫を凝らすことにより接着テープや糊などを用いることなく一体結合することができて組立ての簡易化を図れるクラッカーを提供することにある。
【０００５】
【課題を解決するための手段】
本発明の請求項１、請求項２、請求項３及び請求項４に係る発明の前提とするクラッカーは、図１及び図２に例示するごとく、前端に発射口２を有する筒体１の内部に、火薬体４と、この火薬体４に通し付けられて上記筒体１の後端穴９から導出する引紐５と、火薬体４と上記発射口２との間に前後にして配される噴出物６と受圧板７とを収納しており、引紐５の引っ張り操作で火薬体４が爆発し、この爆発圧を受圧板７が受圧して上記噴出物６を発射口２から前方へ空中発射させるようにしてあるものである。
【０００６】
そのうえで、請求項１に係る発明は、図１及び図２に例示するごとく、上記受圧板７が、上記噴出物６の載置面を有する受圧頭部７ａと、この受圧頭部７ａの外周縁の一箇所から折曲自在に後方へ連設された第１脚部７ｂと、受圧頭部７ａの外周縁の他の箇所から折曲自在に後方へ連設された第２脚部７ｃとを有し、第２脚部７ｃの後端部には、第２脚部７ｃよりも長い可撓性を有する延出用アーム１１の後端部を折曲自在に連設してあり、第１脚部７ｂの後端部は火薬体４から前方へ延出された引紐５の前方延出端部５ｂと一体的に結合しており、延出用アーム１１の先端部は受圧頭部７ａよりも前方へ延出させており、延出用アーム１１の先端部に二股状の支持片１４，１４が形成されるとともに、この支持片１４，１４間の隙間部１５に、両支持片１４，１４の分かれ目部から一体に延出された細長い首部１３ａとこの首部１３ａの先端に上記隙間部１５より幅広の戻止め頭部１３ｃとを有する矢印ないし茸形部片１３が設けられており、上記噴出物６はこれの端部に連結部１７を備えており（注  連結部は図に記載の連結環に限らず、複数の噴出物６の先端部側のテープ部分どうしを連結した連結部あるいは複数の噴出物６の中心側から抜き出してその端部側のテープ部分どうしを連結した連結部も含む意味である。）、この連結部１７が又は図示しないが噴出物６のテープ部分（例えば噴出物６の中心側から抜き出したテープ部分あるいは噴出物６の先端部側のテープ部分）が、支持片１４，１４の一側面１４ａ，１４ａと首部１３ａとの間で挟まれるとともに、戻止め頭部１３ｃが支持片１４，１４の他側面１４ｂ，１４ｂ側に折り返されていることに特徴を有するものである。
【０００７】
噴出物６としては、図７に示すごとく多数の旗１９を連鎖状につないだ連鎖旗２１を使用することができる。この場合、請求項２に記載の発明のように、連鎖旗２１の一端寄りの旗１９，１９どうし間のつなぎ部は上記支持片１４，１４の一側面１４ａ，１４ａと上記首部１３ａとの間で挟むとともに、戻止め頭部１３ｃを上記支持片１４，１４の他側面１４ｂ，１４ｂ側に折り返してなるものである。
【０００８】
細長い首部１３ａと戻止め頭部１３ｃとを有する上記矢印ないし茸形部片１３は、請求項３に記載の発明のように、延出用アーム１１の先端部の中央付近に切り起こすことにより形成することができる。この場合、図９及び図１０に例示するごとく矢印ないし茸形部片１３の切り起こしにより延出用アーム１１の先端部の中央付近に矢印ないし茸形抜孔２２が形成される。そして、図１０に例示するごとく噴出物６の一端部の連結部１７が又は図示しないが噴出物６のテープ部分（例えば噴出物６の中心側から抜き出したテープ部分あるいは噴出物６の先端側のテープ部分）が、延出用アーム１１の先端部の一側面１１ａと首部１３ａとの間で挟まれるとともに、戻止め頭部１３ｃが矢印ないし茸形抜孔２２に差し戻されて延出用アーム１１の先端部の他側面１１ｂ側に係止される。また、請求項４に記載の発明のように、多数の旗１９を連鎖状につないだ連鎖旗２１の一端寄りの旗１９，１９どうし間のつなぎ部が、延出用アーム１１の先端部の一側面１１ａと首部１３ａとの間で挟まれるとともに、戻止め頭部１３ｃが矢印ないし茸形抜孔２２に差し戻されて延出用アーム１１の先端部の他側面１１ｂ側に係止されるものとすることができる。
【０００９】
延出用アーム１１の先端部の中央付近に切り起こし形成される上記矢印ないし茸形部片１３は、請求項５に記載の発明のように、図１１に例示するごとく戻止め頭部１３ｃが延出用アーム１１の先端方向と反対方向に向くように設けることができる。
【００１０】
【作用】
請求項１、請求項２、請求項３及び請求項４に係る発明において、噴出物６は火薬体４の爆発圧を受圧板７を介して受けて筒体１の発射口２から前方へ空中発射するが、このとき、受圧板７の受圧頭部７ａが爆発圧を受けることにより、第１脚部７ｂの後端部が引紐５の前方延出端部５ｂと連結されている状態の下で、瞬間的に、受圧頭部７ａが第１脚部７ｂとの折曲自在な連設部を伸ばして第１脚部７ｂの前方延長線上に展開し、さらに第２脚部７ｃが受圧頭部７ａとの折曲自在な連設部を伸ばして前方へ延びるとともに延出用アーム１１も第２脚部７ｃとの折曲自在な連設部で反転して発射口２より前方へ長く延びる。このように受圧板７及び延出用アーム１１が一直線状に長く延びたところで延出用アーム１１の先端部によって噴出物６を振り出すように勢いよく空中へ放出する。したがって、こうした受圧板７の第１脚部７ｂ、受圧頭部７ａ及び第２脚部７ｃの展開方向長さに延出用アーム１１の長さを加えた長さ分だけ噴出物６を、発射口２から空中に自由に高く遠方へ飛ばすことができ、つまり噴出物６の飛距離を伸ばすことができる。また発射後、噴出物６は、延出用アーム１１、受圧板７及び引紐５を介して筒体１側と連なった状態のままであるので、筒体１から離脱して周囲に散乱することがない。
【００１１】
請求項１及び請求項２に係る発明では、噴出物６の端部の連結部１７または噴出物６のテープ部分または連鎖旗２１の旗１９，１９どうし間のつなぎ部と、延出用アーム１１の先端部とを結合するに際しては、連結部１７または噴出物６のテープ部分または連鎖旗２１の旗１９，１９どうし間のつなぎ部に矢印ないし茸形部片１３をこれの戻止め頭部１３ｃから挿入し（図４及び図７参照）、首部１３ａと支持片１４の一側面１４ａとの間に連結部１７または噴出物６のテープ部分または旗１９，１９どうし間のつなぎ部を挟んでから首部１３ａを湾曲して戻止め頭部１３ｃを支持片１１の他側面１１ｂ側に折り返す。すると、首部１３ａの長さが支持片１４の長さよりも首部１３ａを湾曲する分だけ短くなって戻止め頭部１３ｃが支持片１４の他側面１４ｂの先端部上に重なり合うように係止する。したがって接着テープや糊、あるいは結び紐などの止着部材を一切用いることなく、噴出物６の連結部１７または噴出物６のテープ部分または連鎖旗２１の旗１９，１９どうし間のつなぎ部と延出用アーム１１の先端部とを簡易、迅速に結合することができる。
噴出物６または連鎖旗２１が空中へ飛び出すとき、噴出物６または連鎖旗２１により延出アーム１１の先端の首部１３ａが強く引っ張られるが、このとき戻止め頭部１３ｃが支持片１４の他側面１４ｂ上に係止しているので、外れることがない。
【００１２】
請求項３及び請求項４に係る発明では、延出用アーム１１の先端部の中央付近に、矢印ないし茸形部片１３を切り起こすとともに、矢印ないし茸形抜孔２２を形成し、噴出物６の端部の連結部１７又は噴出物６のテープ部分又は連鎖旗２１の旗１９，１９どうし間のつなぎ部は、延出用アーム１１の先端部の一側面１１ａと矢印ないし茸形部片１３の首部１３ａとの間で挟むとともに、戻止め頭部１３ｃが矢印ないし茸形抜孔２２に差し戻されて延出用アーム１１の先端部の他側面１１ｂ側に係止されるという結合手段を採用することでもって、噴出物６のの連結部１７又は噴出物６のテープ部分又は連鎖旗２１の旗９，９どうし間のつなぎ部が延出用アーム１１の先端部から離脱することのない一体的な結合状態が得られる。したがって、これにおいても、その結合にあたって接着テープや糊、あるいは結び紐などを用いることなく、簡易、迅速に結合することができる。
【００１３】
請求項５に係る発明では、噴出物６が空中へ飛び出すとき、噴出物６により延出用アーム１１の先端の首部１３ａが強く引っ張られるに連れて、首部１３ａの自由端側の戻止め頭部１３ｃが延出用アーム１１の先端の他側面１１ｂ，１１ｂ上を滑って支持片先端方向ｘ即ち矢印ないし茸形抜孔２２の一端の広幅頭部２２ａより遠去かる方向に移動して行くため、外れるのをより確実に防止することができる（図１２参照）。
【００１４】
【発明の実施の形態】
図１は本発明の一実施例を示すクラッカーの縦断面図、図２は同クラッカーを使用状態で示した斜視図、図３は同クラッカーの受圧板の展開平面図、図４（ａ）（ｂ）は同クラッカーの噴出物に延出用アームの先端部を結合する状態を示す斜視図である。
【００１５】
図１に示すように、このクラッカーは前方へ至るに従い径大な円錐又は角錐状の紙製又はプラスチック製の筒体１の前端に、発射口２を形成するとともに、筒体１の前端に折曲自在に連設した複数のフラップよりなる蓋部３で発射口２を開放可能に塞いでいる。筒体１の内部には火薬体４と、火薬体４に通し付けられた引紐５と、発射口２と火薬体４との間に前後にして配される噴出物６及び受圧板７と、引紐５の火薬体４より後ろ側に移動自在に挿通された漏斗形の火薬体受け座８とを収納している。火薬体受け座８より後方へ延出する引紐５の後端部５ａは筒体１の後端穴９から外部へ導出している。
【００１６】
筒体１内の噴出物６と火薬体４との間で前後方向に移動可能に配備される上記受圧板７は、噴出物６の載置面を有する円板状の受圧頭部７ａと、この受圧頭部７ａの外周縁の一箇所から折曲自在に後方へ連設された第１脚部７ｂと、受圧頭部７ａの外周縁の他の箇所から折曲自在に後方へ連設された第２脚部７ｃとを有する。第１脚部７ｂはこれの後端部に穴１０を有し、この穴１０に上記火薬体４から前方へ余長を持って延出された引紐５の前方延出端部５ｂを通して一体的に結び付けている。一方、第２脚部７ｂの後端部の一側には可撓性を有する細長い帯状の延出用アーム１１の後端部を折目１２を介して折曲自在に一体に連設してある。この延出用アーム１１は第２脚部７ｃの一側縁に沿わせて受圧頭部７ａより前方へ延出し、その先端部に矢印ないし茸形部片１３を設け、この矢印ないし茸形部片１３でもって上記噴出物６の一端部を延出アーム１１の先端部に一体的に結合している。その結合の仕方については後に詳しく説明する。
【００１７】
上記受圧板７は平たい厚紙を打ち抜き加工することによって得られる。すなわち、図３に示すように、上記円板状の受圧頭部７ａ、穴１０を有する第１脚部７ｂ、第２脚部７ｃ及び延出用アーム１１を同時に打ち抜くが、その際、延出用アーム１１は、第２脚部７ｃの後端部の一側部から折目１２を介して第２脚部７ｃの一側縁に沿う直線状の後半部１１ａと、受圧頭部７ａの同側縁に沿う円弧状の中間部１１ｂ、及び第１脚部７ｂの同側縁に沿う前半部１１ｃとを一体に連続状に形成し、この前半部１１ｃの先端に矢印ないし茸形部片１３と二股状の支持片１４，１４とを形成する。
【００１８】
矢印ないし茸形部片１３は、二股状の支持片１４，１４間の隙間部１５に、両支持片１４，１４の分かれ目部から一体に延出された細長い首部１３ａとこの首部１３ａの先端に上記隙間部１５より幅広に張り出す戻止め部１３ｂ，１３ｂを持つ戻止め頭部１３ｃとを有する矢印ないし茸形状に形成される。
【００１９】
上記噴出物６は、図１及び図４（ａ）に示すように、適当な巻き長さ（例えば２ｍ）を有する複数個の小巻きテープ１６からなり、この各小巻きテープ１６を外周接合状態に連結環１７で巻き締め、その連結環１７の内周面部に各小巻きテープ１６の巻終端部１６ａをそれぞれ接着固定してなる。小巻きテープ１６は紙製のカラーテープ、あるいはプラスチックフィルムよりなるテープ基材にアルミニウム等の金属を蒸着したものなどである。
【００２０】
上記噴出物６の一端部と延出用アーム１１の先端部とを一体的に結合するには、図４（ａ）（ｂ）に示すように、連結環１７と小巻きテープ１６との間の隙間に延出用アーム１１の先端の矢印ないし茸形部片１３をこれの戻止め頭部１３ｃから挿入し、矢印ないし茸形部片１３の首部１３ａと支持片１４，１４の一側面１４ａ，１４ａとの間に連結環１７の一部を挟んでから首部１３ａの中間部を湾曲させて戻止め頭部１３ｃを支持片１４，１４の他側面１４ｂ，１４ｂ側に折り返す。すると、首部１３ａの長さが支持片１４の長さよりも首部１３ａを湾曲する分だけ短くなって戻止め頭部１３ｃの戻止め部１３ｂが支持片１４の他側面１４ｂの先端部上に重なり合って係止し、連結環１７が首部１３ａと支持片１４との間から抜け出ることのない結合状態が得られる。したがって、噴出物の連結環１７と延出用アーム１１の先端部とを、接着テープや糊、あるいは結び紐などの止着部材を一切用いることなく、簡易、迅速に結合することができる。
また、その際、矢印ないし茸形部片１３を連結環１７と小巻きテープ１６との間の隙間に挿入する方法によれば、小巻きテープ１６を崩すようなことがなく、この点でも結合作業性に優れる。
【００２１】
上記構成のクラッカーにおいては、引紐５の後端部５ａを後方へ強く引っ張って火薬体４を爆発させると、図２のように、蓋部３は爆風を受圧板７を介して受けることにより開いて発射口２を開放し、噴出物６が受圧板７により発射口２から前方へ向けて放出される。このとき、受圧板７の受圧頭部７ａが爆発圧を受けることにより、第１脚部７ｂが引紐５の前方延出端部５ｂと連結されている状態の下で、瞬間的に、受圧頭部７ａが第１脚部７ｂとの折曲自在な連設部を伸ばして第１脚部７ｂの前方延長線上に展開し、さらに第２脚部７ｃが受圧頭部７ａとの折曲自在な連設部を伸ばして前方へ延びるとともに延出用アーム１１も第２脚部７ｃとの折曲自在な折目１２部分で反転して発射口２より前方へ長く延びる。このように受圧板７及び延出用アーム１１が一直線状に長く延びたところで延出用アーム１１の先端部によって小巻きテープ１６を連結環１７ごと振り出すように勢いよく空中へ放出し、各小巻きテープ１６は連結環１７から飛び出して開く。
【００２２】
このとき、第１脚部７ｂの長さ、受圧頭部７ａの径方向長さ、及び第２脚部７ｃの長さに更に延出用アーム１１の長さを加えた長さ分だけ小巻きテープ１６の飛距離を伸ばすことができ、小巻きテープ１６を空中へ高く遠方へ飛ばすことができる。小巻きテープ１６が空中へ飛び出すとき、連結環１７により延出アームの先端の首部１３ａが強く引っ張られるが、このとき戻止め頭部１３ｃが支持片１４，１４の他側面１４ｂ，１４ｂ上に係止しているので、連結環１７が首部１３ａから外れることがない。したがって発射後、小巻きテープ１６は、延出用アーム１１、受圧板７及び引紐５を介して筒体１側と連なった状態に保たれているため、小巻きテープ１６が筒体１から離脱して周囲に散乱することがなく、これをいちいち拾い集めるような手間が省略される。したがって使用済みのクラッカーの回収、後始末が簡易迅速に行える。
【００２３】
噴出物６の連結環１７としては、図１及び図４（ａ）のように複数の小巻きテープ１６を外周接合状態に巻き締められるように径大に形成されたものに限定されず、そのほかに、図５のように一つの小巻きテープ１６の外径とほぼ同じかそれよりも径小の連結環１７を使用することもできる。ただし、この場合においても連結環１７には各小巻きテープ１６の巻終端部１６ａを並列状に接着固定しておき、また連結環１７の円周一部に延出用アーム１１の先端を上記したと同じ要領で矢印ないし茸形部片１３及び支持片１４，１４を介して一体的に結合したうえで、筒体１内に収納される。
【００２４】
また、図６のように、噴出物６としては、複数個の小巻きテープ１６を順次巻終端部１６ａどうしを直列状に接続してなるものであってもよく、この場合は、この直列接続の小巻きテープ１６群の中の最後尾の小巻きテープ１６の巻終端部１６ａに連結環１７を設け、この連結環１７に延出用アーム１１の先端を上記したと同じ要領で矢印ないし茸形部片１３及び支持片１４，１４を介して一体的に結合する。
【００２５】
さらに、噴出物６としては、その他に、図７のように多数の旗１９をテープや紐２０で連鎖状につないだ連鎖旗２１を折り重ねたものを使用することもできる。この場合、連鎖旗２１の長手方向一端の最後尾または最後尾寄りの旗１９，１９どうし間のつなぎ部に延出用アーム１１の先端を上記したと同じ要領で矢印ないし茸形部片１３及び支持片１４，１４を介して一体的に結合する。
【００２６】
延出用アーム１１は図３のように受圧板７の第２脚部７ｃの一側縁、受圧頭部７ａの同側縁、及び第１脚部７ｂの同側縁に沿うように打ち抜くに代えて、図８のように延出用アーム１１は受圧板７の第２脚部７ｃの後端に折目１２を介してその後方延長線上に位置するように形成することもできる。この場合、筒体１に受圧板７を収納するにあたって、図示省略するが延出用アーム１１が第２脚部７ｃの外側に折り重ねられたうえでその矢印ないし茸形部片１３を持つ先端部が受圧頭部７ａより前方へ延出するように収納される。
【００２７】
延出用アーム１１の先端部の形状としては上記実施例のほかに、図９のように延出用アーム１１の先端部の中央付近に、細長い首部１３ａとこの先端に首部１３ａより幅広の戻止め頭部１３ｃとを有する矢印ないし茸形部片１３の首付け根部のみを除く外郭線に沿って打ち抜くことにより、細長い首部１３ａとこの先端に首部１３ａより幅広に設けた戻止め頭部１３ｃとを有する矢印ないし茸形部片１３を切り起こすとともに、矢印ないし茸形抜孔２２を形成するものであってもよい。
【００２８】
これにおいても、図１０のように噴出物６の一端部の連結環１７の円周一部は、上記延出用アーム１１の先端部の一側面１１ａと矢印ないし茸形部片１３の首部１３ａとの間で挟むとともに、矢印ないし茸形部片１３の戻止め頭部１３ｃを矢印ないし茸形抜孔２２に差し戻して延出用アーム１１の先端部の他側面１１ｂ側に係止することで両者を一体的に結合することができる。噴出物６が図７の連鎖旗２１である場合にも同様に、上記延出用アーム１１の先端部を連鎖旗２１の旗１９，１９どうし間のつなぎ部に一体的に結合することができる。
【００２９】
図９では延出用アーム１１の先端部の中央付近に、矢印ないし茸形部片１３が戻止め頭部１３ｃを延出用アーム１１の先端方向に向けて設けられているが、図１１のように、矢印ないし茸形部片１３は戻止め頭部１３ｃを延出用アームの先端方向と反対方向に向けて設けることもできる。これによれば、図１２のように、噴出物６が空中へ飛び出すとき、噴出物６の連結環１７により延出アーム１１の先端の首部１３ａが強く引っ張られるに連れて、首部１３ａの自由端側の戻止め頭部１３ｃが延出用アーム１１の先端部の他側面１１ｂ上を滑って支持片先端方向ｘ即ち矢印ないし茸形抜孔２２の一端の広幅頭部２２ａより遠去かる方向に移動して行く。したがって、連結環１７が首部１３ａから外れるのをより確実に防止することができる。
【００３０】
矢印ないし茸形部片１３においてその戻止め頭部１３ｃは、図３や図９に示すごとく先尖り状に形成するに代えて、図１３に示すごとく半円形等の先丸状に形成するものであってもよい。
【００３１】
【発明の効果】
本発明のクラッカーによれば、延出用アームを備えた受圧板と引紐とでもって、小巻きテープ等の噴出物と筒体側とを一体的に連結してあるので、発射後に噴出物が筒体から離脱して周囲に散乱することがないばかりか、噴出物の飛距離を十分に伸ばすことができてクラッカー本来の興趣性、演出効果を高めることができるという利点がある。しかも、接着テープや糊あるいは結び紐などの止着部材を一切用いることなく、噴出物と延出用アームの先端部とを簡易、迅速に結合することができて組立て性にも優れる。
【図面の簡単な説明】
【図１】クラッカーの縦断面図である。
【図２】同クラッカーを使用状態で示した斜視図である。
【図３】同クラッカーの受圧板の展開平面図である。
【図４】（ａ）は同クラッカーの噴出物の連結環に延出用アームの先端部を挿入する前の状態を示す斜視図、（ｂ）はその挿入後における結合状態を示す斜視図である。
【図５】他の実施例のクラッカーの噴出物を飛び出し途上の状態で示す斜視図である。
【図６】更に他の実施例のクラッカーの噴出物を飛び出し途上の状態で示す斜視図である。
【図７】更に又、他の実施例を示すクラッカーの噴出物を飛び出し途上の状態で示す斜視図である。
【図８】他の実施例のクラッカーの受圧板の展開平面図である。
【図９】更に他の実施例のクラッカーの延出用アームの先端部の形状を示す平面図である。
【図１０】図９の延出用アームの先端部を噴出物の連結環に結合した状態を示す斜視図である。
【図１１】更に又、他の実施例のクラッカーの延出用アームの先端部の形状を示す平面図である。
【図１２】図１１の延出用アームの先端部を噴出物の連結環に結合した状態を噴出物の飛び出し途上の状態で示す斜視図である。
【図１３】更に又、他の実施例のクラッカーの延出用アームの先端部の形状を示す平面図である。
【符号の説明】
１  筒体
２  発射口
３  蓋部
４  火薬体
５  引紐
６  噴出物
７  受圧板
７ａ  受圧頭部
７ｂ  第１脚部
７ｃ  第２脚部
９  後端穴
１１  延出用アーム
１３  矢印ないし茸形部片
１３ａ  首部
１３ｂ  戻止め部
１３ｃ  戻止め頭部
１４  支持片
１５  隙間部
１６  小巻きテープ
１７  連結環（連結部）
１９  旗
２１  連鎖旗
２２  矢印ないし茸形抜孔
【図１】
0004047998.tif 000002
【図２】
0004047998.tif 000003
【図３】
0004047998.tif 000004
【図４】
0004047998.tif 000005
【図５】
0004047998.tif 000006
【図６】
0004047998.tif 000007
【図７】
0004047998.tif 000008
【図８】
0004047998.tif 000009
【図９】
0004047998.tif 000010
【図１０】
0004047998.tif 000011
【図１１】
0004047998.tif 000012
【図１２】
0004047998.tif 000013
【図１３】
0004047998.tif 000014